(57)【要約】【課題】湯沸かし容器の熱影響による浄水手段内の浄水の温度上昇を抑える給湯装置を提供すること。【解決手段】水道水を浄化する浄水手段３と、浄水を湯沸かし保温するヒータ４を有する湯沸かし容器５と、湯沸かし容器５を内蔵した湯沸かしユニット１５とを備え、浄水手段３を、湯沸かしユニット１５の下部で、しかも外面に配することにより、湯沸かし容器５の熱影響が低減でき、浄水手段３内の浄水の温度上昇を抑えることができる。【選択図】図１
2005106320.tif 000002
【特許請求の範囲】
【請求項１】
水道水を浄化する浄水手段と、浄水手段で浄水した水道水を加熱・保温する湯沸かしユニットとを備え、浄水手段を湯沸かしユニットの下部の外面に設け、浄水手段を着脱可能とした給湯装置。
【請求項２】
少なくとも浄水手段の上面と、湯沸かしユニットの浄水手段の上面に対向する下面との間に空間を設けた請求項１に記載の給湯装置。
【請求項３】
水道水を浄水手段に導く給水経路を内蔵した湯沸かしユニットの水道水の取入口を湯沸かしユニットの略下方に配した請求項１または２に記載の給湯装置。
【請求項４】
湯沸かし容器を内蔵した湯沸かしユニットと、浄水手段で浄水した水道水を湯沸かし容器に導く浄水経路とを備え、浄水経路の一部を湯沸かしユニットの外に配した請求項１〜３いずれか１項に記載の給湯装置。
【請求項５】
湯沸かし容器を内蔵した湯沸かしユニット内に配した隔壁と、浄水手段で浄水した水道水を湯沸かし容器に導く浄水経路とを備え、浄水経路の湯沸かし容器に連通する一部を除き隔壁で仕切られた湯沸かし容器のない側に浄水経路を配した請求項１〜３いずれか１項に記載の給湯装置。
【請求項６】
湯沸かし容器を内蔵した湯沸かしユニット内に配した隔壁と、湯沸かし容器の湯を湯沸かしユニット外部に導く熱湯経路とを備え、隔壁で仕切られた湯沸かし容器のある側に熱湯経路を配した請求項５に記載の給湯装置。
【請求項７】
浄水手段と、湯沸かしユニットと、浄水手段と湯沸かしユニットとの間に延長経路ユニットを設けた、請求項１〜６いずれか１項に記載の給湯装置。
【発明の詳細な説明】
【技術分野】
【０００１】
本発明は一般家庭で使用する飲用、調理用の高温のお湯を供給するビルトインタイプの給湯装置に関するものである。
【背景技術】
【０００２】
従来、この種のビルトインタイプの給湯装置は、水道水を湯沸かしユニットに内蔵された浄水手段で浄化し、その浄水を湯沸かしユニットに内蔵された湯沸かし容器で湯沸かしし、ポンプで外部に出湯するものがあった（例えば、特許文献１参照）。
【０００３】
図５は特許文献１に記載された従来の給湯装置を示すものである。図５に示すように、水道水を浄化する浄水手段２７と、水道水を加熱・保温する主ヒータ２８と補助ヒータ２９を有する湯沸かし容器３０と、ポンプ３１と、浄水手段２７と湯沸かし容器３０とを内蔵した湯沸かしユニット３２と、水栓３３と、水道水を浄水手段２７に導く給水経路３４と、給水経路３４の途中に設けた給水弁３５と、浄水手段２７で浄化された浄水を水栓３３に導く浄水経路３５と、浄水経路３５の途中に浄水を湯沸かし容器３０に分岐する切替弁３６と、湯沸かし容器３０内の熱湯をポンプ３１により水栓３３の出湯口３７に導く熱湯経路３８と、一端が湯沸かし容器３０に連通し他端が水栓３３の排気口３９に連通する排気経路４０とから構成されている。
【特許文献１】特開２００３−５６９１４号公報
【発明の開示】
【発明が解決しようとする課題】
【０００４】
しかしながら、前記従来の構成では、浄水手段と湯沸かし容器が湯沸かしユニット内に設けられているため、湯沸かし容器の熱影響により浄水手段が温められ浄水が温かくなる。断熱材などを設けて断熱構造としても、やはり同一器体内に浄水手段が配置されていると長時間の経過により浄水手段内の温度が上昇傾向となる。
【０００５】
本発明は、上記従来の課題を解決するもので、湯沸かし容器の熱影響による浄水手段内の浄水の温度上昇を抑えた給湯装置の提供を目的とする。
【課題を解決するための手段】
【０００６】
従来の課題を解決するために、本発明の給水装置は、浄水手段を湯沸かしユニットの下部でしかも外面に配することで、湯沸かし容器の熱影響による浄水手段内の浄水の温度上昇を抑えた給湯装置の提供を目的とする。
【発明の効果】
【０００７】
本発明の給湯装置は、浄水手段に対する湯沸かしユニット内の湯沸かし容器の熱影響を低減し、浄水手段内の温度上昇を抑えることができる。
【発明を実施するための最良の形態】
【０００８】
第１の発明は、浄水手段を、湯沸かし容器を内蔵する湯沸かしユニットの下部でしかも外面に配置したことにより、浄水手段に対する湯沸かしユニットからの熱影響を低減でき、浄水手段内の浄水の温度上昇を抑えることができる。
【０００９】
第２の発明は、浄水手段を、湯沸かし容器を内蔵する湯沸かしユニットの下部でしかも外部に配置しさらに、浄水手段の上面と浄水手段の上面に対向する湯沸かしユニットの下面との間に空間を設けることにより、浄水手段に対する湯沸かしユニットからの熱影響を第１の発明に加えて、さらに低減でき、浄水手段内の浄水の温度上昇をさらに抑えることができる。
【００１０】
第３の発明は、水道水を浄水手段に導く導水経路を内蔵した湯沸かしユニットの水道水の取水口を浄水手段に近い湯沸かしユニットの略下方に配することにより、湯沸かしユニットからの熱影響を受ける給水経路を短くでき、第１の発明に加えて、導水経路の水の温度上昇を抑えることができる。
【００１１】
第４の発明は、浄水手段で浄水した水道水を湯沸かしユニットに内蔵した湯沸かし容器に導く浄水経路の一部を湯沸かしユニットの外に配することにより、給水経路が受ける湯沸かしユニットからの熱影響が低減でき、浄水経路内の浄水の温度上昇をさらに抑えることができる。
【００１２】
第５の発明は、湯沸かし容器を内蔵した湯沸かしユニット内に隔壁を設け、浄水経路の湯沸かし容器に連通する一部を除き隔壁で仕切られた湯沸かし容器のない側に浄水経路を配したことにより、浄水経路が湯沸かし容器からの熱影響を隔壁が防ぐため、浄水経路内の浄水の温度上昇をさらに抑えることができる。
【００１３】
第６の発明は、湯沸かし容器を内蔵した湯沸かしユニット内に隔壁を設け、隔壁で仕切られた湯沸かし容器側に熱湯経路を配したことにより、熱湯経路からの浄水経路への熱影響を隔壁が防ぐため、浄水経路内の浄水の温度上昇をさらに抑えることができる。
【００１４】
第７の発明は、浄水手段と湯沸かしユニットとの間に延長経路ユニットで配管をつなぐ構成とすることにより、浄水手段が湯沸かしユニットと離れた位置に設置可能となるため、湯沸かしユニットからの浄水手段への熱影響をほとんどなくすことができ、浄水手段内の浄水の温度上昇をさらに抑えることができる。また、浄水手段の設置も自由な位置に設置ができる。
【００１５】
以下、本発明の実施の形態について、図面を参照しながら説明する。なお、本実施の形態によって本発明が限定されるものではない。
【００１６】
（実施の形態１）
図１は、本発明の第１の実施の形態における、給湯装置の全体図を示すものである。
【００１７】
図１において、水道水を給水する給水経路１と、水道水の供給を開閉する給水弁２と、水道水を浄化する浄水手段３と、浄水を湯沸かし保温するヒータ４を有する湯沸かし容器５と、浄水手段３で浄化した浄水を湯沸かし容器５に導く第一の浄水経路６と、第一の浄水経路６の途中に配した切替弁７と、水栓８と、切替弁７から分岐し水栓８に連通した第二の浄水経路９と、湯沸かし容器５の熱湯を水栓８に連通する熱湯経路１０と、熱湯経路１０の途中に配したポンプ１１と、一端が湯沸かし容器５に連通し他端が水栓８に連通する排気経路１２と、湯沸かし容器５の側壁を覆う第一の断熱材１３と、湯沸かし容器５の上部開口部を覆う第二の断熱材１４と、湯沸かし容器５などを内蔵した湯沸かしユニット１５と、湯沸かしユニット１５には導水経路１６を配し、導水経路１６の一端を浄水手段３に連通させ、他端を湯沸かしユニット１５の外面に設けた取水口１７に連通し給水経路１とつながっている。浄水手段３は湯沸かしユニット１５の外面の下部に設けている。湯沸かしユニット１５には脚１８が構成されている。浄水手段３は着脱リング１９により、湯沸かしユニット１５の下部の外面に着脱自在に装着されている。
【００１８】
以上のように構成された給湯装置において、以下にその動作・作用を説明する。
【００１９】
まず、熱湯の出湯について、水道水を給水弁２の水栓８の外部操作による開動作により給水経路１、取水口１７、導水経路１６、給水弁２を介して、浄水手段３に供給し、水道水を浄化する。その後浄水された水道水は第一の浄水経路６により湯沸かし容器５に供給される。湯沸かし容器５では水をヒータ４により湯沸かし保温し、水栓８からの外部操作によりポンプ１１により熱湯経路１０を介し水栓８より出湯する。
【００２０】
一方、浄水の出水は、水栓８の外部からの操作により切替弁７により水路を切替、浄化した水道水を第２の浄水経路９を介して水栓８より出水する。
【００２１】
以上のように、本実施の形態においては、浄水手段３を湯沸かしユニット１５の外面のしかも下部に配しているので、浄水手段３が湯沸かしユニット１５からの熱影響を受けにくい、つまり熱は対流により上昇するため下には影響しにくい構成となっているため、浄水手段３内の浄水に対する湯沸かしユニットからの熱影響が低減でき、浄水手段３内の浄水の温度上昇を抑えることができる。
【００２２】
（実施の形態２）
同じく、図１は、本発明の第２の実施の形態における、給湯装置の全体図を示すものである。図１において、浄水手段３の上面と、湯沸かしユニット１５の浄水手段３の上面に対応する下面との間に空間２０を設けている。
【００２３】
以上のように構成された給湯装置において、浄水手段３の上面と、浄水手段３の上面に対向する湯沸かしユニット１５の下面との間に空間２０を設けているので、浄水手段３の周りに自然対流が発生し、湯沸かしユニット１５からの熱影響をさらに受けにくい構成となっているため、浄水手段３内の浄水の温度上昇をさらに抑えることができる。
【００２４】
（実施の形態３）
同じく、図１は、本発明の第３の実施の形態における、給湯装置の全体図を示すものである。図１において、湯沸かしユニット１５の水道水の取水口１７を湯沸かしユニット１５の略下方に設けている。
【００２５】
以上のように構成された給湯装置において、湯沸かしユニット１５の水道水の取水口１７を湯沸かしユニット１５の湯沸かし容器５より下方（浄水手段３の近傍）に設けているため、湯沸かしユニット１５内の熱影響を受ける導水経路１６の長さが短くでき、導水経路１６内の水温の温度上昇を抑えることができる。
【００２６】
（実施の形態４）
図２は、本発明の第４の実施の形態における、給湯装置の全体図を示すものである。
【００２７】
図２において、浄水手段３で浄水した水道水を湯沸かしユニット１５に内蔵した湯沸かし容器５に導く第一の浄水経路６の一部を湯沸かしユニット１５の外に設けている。
【００２８】
以上のように構成された給湯装置において、浄水手段３で浄水した水道水を湯沸かしユニット１５に内蔵した湯沸かし容器５に導く第一の浄水経路６の一部を湯沸かしユニット１５の外に配することにより、第一の給水経路６が湯沸かしユニット１５から受ける熱影響が低減でき、導水経路１６内の水の温度上昇が抑えられ、出水した浄水の温度上昇をさらに抑えることができる。
【００２９】
（実施の形態５）
図３は、本発明の第５の実施の形態における、給湯装置の全体図を示すものである。
【００３０】
図３において、湯沸かし容器５を内蔵した湯沸かしユニット１５内に隔壁２１を設け、第一の浄水経路６の湯沸かし容器５に連通する一部を除き隔壁２１で仕切られた湯沸かし容器５のない側に第一の浄水経路６を配している。
【００３１】
以上のように構成された給湯装置において、湯沸かしユニット１５内に隔壁２１を設け、第一の浄水経路６の湯沸かし容器５に連通する一部を除き隔壁２１で仕切られた湯沸かし容器５のない側に第一の浄水経路６を配したことにより、第一の浄水経路６が湯沸かし容器５からの熱影響を隔壁２１が防ぐため、配管内の水の温度上昇が抑えられるため浄水の温度をさらに抑えることができる。
【００３２】
（実施の形態６）
同じく、図３は、本発明の第６の実施の形態における、給湯装置の全体図を示すものである。図３において、湯沸かし容器５を内蔵した湯沸かしユニット１５内に隔壁２１を設け、隔壁２１で仕切られた湯沸かし容器５のある側に熱湯経路１０を配している。
【００３３】
以上のように構成された給湯装置において、隔壁２１で仕切られた湯沸かし容器５のある側に熱湯経路１０を配したことにより、熱湯経路１０からの第一の浄水経路６への熱影響を隔壁２１が防ぐため、浄水の温度上昇をさらに抑えることができる。
【００３４】
また、熱湯経路１０内からの放熱を隔壁２１が抑えるため熱湯経路１０内の湯の温度低下を抑えることもできる。
【００３５】
（実施の形態７）
図４は、本発明の第７の実施の形態における、給湯装置の全体図を示すものである。
【００３６】
図４において、浄水手段３と湯沸かしユニット１５との間に延長経路ユニット２２で水路をつなぐ構成とし、延長経路ユニット２２は、一端に湯沸かしユニット１５内の導水経路１６と第一の浄水経路６とに着脱可能な第一の接続部２３と他端に浄水手段３に着脱可能な第二の接続部２５を可とう性のチューブで水路を構成している。
【００３７】
また、第一の接続部２３は第二の着脱リング２４で湯沸かしユニット１５に着脱可能とし、第二の接続部２５は第三の着脱リング２６で浄水手段３が着脱可能な構成としている。
【００３８】
さらに、浄水手段３は、延長経路ユニット２２なしでも直接湯沸かしユニット１５に接続することも可能な構成としており、設置現場の状況により対応可能としている。
【００３９】
以上のように構成された給湯装置において、浄水手段３と湯沸かしユニット１５との間に延長経路ユニット２２でつなぐ構成とすることにより、浄水手段３を湯沸かしユニット１５から離れた位置に自由に設置可能となるため、湯沸かしユニット１５からの浄水手段３への熱影響をほとんど無くすことができ、浄水手段３内の水の温度上昇をほとんど抑えることができる。
【００４０】
また、浄水手段３は、延長経路ユニット２２なしでも直接湯沸かしユニット１５に接続することも可能な構成としているため、設置場所の条件により浄水手段３の設置方法が選択できる。
【産業上の利用可能性】
【００４１】
本発明の給湯装置は、湯沸かしユニットと浄水手段の構成に関する内容なので、ビルトインタイプに限らず、据置タイプや卓上タイプ等の用途にも適用できる。
【図面の簡単な説明】
【００４２】
【図１】本発明の実施の形態１〜３における給湯装置の全体図
【図２】本発明の実施の形態４における給湯装置の全体図
【図３】本発明の実施の形態５〜６における給湯装置の全体図
【図４】本発明の実施の形態７における給湯装置の全体図
【図５】従来の給湯装置の全体図
【符号の説明】
【００４３】
３  浄水経路
５  湯沸かし容器
６  浄水経路（第一の浄水経路）
１０  熱湯経路
１５  湯沸かしユニット
１６  導水経路
２０  空間
２１  隔壁
２２  延長経路ユニット
【図１】
2005106320.tif 000003
【図２】
2005106320.tif 000004
【図３】
2005106320.tif 000005
【図４】
2005106320.tif 000006
【図５】
2005106320.tif 000007